(57)【要約】【課題】数字選択式宝くじで購入申込みを行う数字の自動選択が可能な機能を備えた、投票券販売装置及び投票券販売方法並びにそのプログラムを提供する。【解決手段】オッズ情報ＤＢ１８において投票券のオッズ情報を、また、過去の出目情報ＤＢ１９において過去の出目情報を記憶し、ユーザーからの投票券の種類の指定と、申込み数字の選択方法との指定に基づいて、購入管理部１４がオッズ情報ＤＢ１８や過去の出目情報ＤＢ１９で記憶する複数の数字を自動選択し、この自動選択した数字での投票券購入を受付ける。【選択図】　図１
2004118527.tif 000002
【特許請求の範囲】
【請求項１】
ユーザーからのアクセスを受付ける受付管理部と、
投票券の申込み状況に基づいたオッズを記憶するオッズ情報データベースまたは、過去の投票券の抽せん結果における出目情報を記憶する過去の出目情報データベースの少なくともいずれか一方と、
前記ユーザーが指定する投票券の種類とその購入方法に基づいて、前記オッズ情報データベースまたは、前記過去の出目情報データベースに記憶するデータを自動選択する購入管理部と、
前記購入管理部が自動選択したデータに基づいた前記ユーザーによる投票券の購入申込みを前記ユーザー毎に記憶する宝くじデータベースと、
抽せん結果に基づいて、前記宝くじデータベースに記憶する投票券の購入申込み結果から当せん投票券を判別する当せん管理部と、
前記当せん投票券の購入申込みを行った前記ユーザーに対する当せん金額振込データを作成し、この当せん金振込データに基づいて電子決済の処理を行う決済管理部と、
を有することを特徴とする投票券販売装置。
【請求項２】
ユーザー端末とネットワークを介して接続された投票券販売装置における投票券販売方法において、
ユーザーからのアクセスを受付ける第１の過程と、
前記ユーザーより投票券の種類とその購入方法を受付ける第２の過程と、
前記ユーザーが指定した投票券の種類と購入方法に基づいて、オッズ情報データベースや過去の出目情報データベースに記憶するデータを自動選択する第３の過程と、
前記第３の過程において自動選択したデータに基づいた前記投票券の購入申込みを受付ける第４の過程と、
抽せん結果に基づいて、前記第４の過程において購入申込みを受付けた前記投票券の中から当せん投票券を判別する第５の過程と、
前記第５の過程において判別した当せん投票券を購入したユーザーに対して当せん金額振込みの電子決済処理を行う第６の過程と、
を有することを特徴とする投票券販売方法。
【請求項３】
ユーザー端末とネットワークを介して接続された投票券販売装置のコンピュータにおいて実行されるプログラムであって、
前記コンピュータに、
ユーザーからのアクセスを受付ける第１の処理と、
前記ユーザーより投票券の種類とその購入方法を受付ける第２の処理と、
前記ユーザーが指定した投票券の種類と購入方法に基づいて、オッズ情報データベースや過去の出目情報データベースに記憶するデータを自動選択する第３の処理と、
前記第３の処理において自動選択したデータに基づいた前記投票券の購入申込みを受付ける第４の処理と、
抽せん結果に基づいて、前記第４の処理において購入申込みを受付けた前記投票券の中から当せん投票券を判別する第５の処理と、
前記第５の処理において判別した当せん投票券を購入したユーザーに対して当せん金額振込みの電子決済処理を行う第６の処理と、
を実行させるためのプログラム。
【発明の詳細な説明】
【０００１】
【発明の属する技術分野】
この発明は、通信ネットワーク上のコンピュータシステムに係り、特に、通信ネットワーク経由での投票券購入を可能にした投票券販売装置及び投票券販売方法並びにそのプログラムに関するものである。
【０００２】
【従来の技術】
通信ネットワーク経由で数字選択式宝くじを購入する際に、数字選択式宝くじを購入するユーザー自身が、好きな数字を選択して購入する方法を提供する技術や、過去の出目情報やオッズを参照した上でユーザー自身が数字を指定して数字選択式宝くじを購入する方法を提供する技術が提案されている（例えば、特許文献１参照。）。
【０００３】
【特許文献１】
特開２００２−１２３６４６号公報
【０００４】
【発明が解決しようとする課題】
しかしながら、上述の数字選択式宝くじの購入方法を提供する技術では、過去の出目情報やオッズを参照してユーザー自身が番号を選択して購入しなければならず、数字選択式宝くじの自動的な数字の選択による購入はできなかった。
そこでこの発明は、数字選択式宝くじの数字の自動選択が可能な機能を備えた、投票券販売装置及び投票券販売方法並びにそのプログラムを提供することを目的としている。
【０００５】
【課題を解決するための手段】
上記目的を達成するために、本発明は、ユーザーからのアクセスを受付ける受付管理部と、投票券の申込み状況に基づいたオッズを記憶するオッズ情報データベースまたは、過去の投票券の抽せん結果における出目情報を記憶する過去の出目情報データベースの少なくともいずれか一方と、前記ユーザーが指定する投票券の種類とその購入方法に基づいて、前記オッズ情報データベースまたは、前記過去の出目情報データベースに記憶するデータを自動選択する購入管理部と、前記購入管理部が自動選択したデータに基づいた前記ユーザーによる投票券の購入申込みを前記ユーザー毎に記憶する宝くじデータベースと、抽せん結果に基づいて、前記宝くじデータベースに記憶する投票券の購入申込み結果から当せん投票券を判別する当せん管理部と、前記当せん投票券の購入申込みを行った前記ユーザーに対する当せん金額振込データを作成し、この当せん金振込データに基づいて電子決済の処理を行う決済管理部とを有することを特徴とする投票券販売装置である。
【０００６】
また、請求項２に記載の発明は、ユーザー端末とネットワークを介して接続された投票券販売装置における投票券販売方法において、ユーザーからのアクセスを受付ける第１の過程と、前記ユーザーより投票券の種類とその購入方法を受付ける第２の過程と、前記ユーザーが指定した投票券の種類と購入方法に基づいて、オッズ情報データベースや過去の出目情報データベースに記憶するデータを自動選択する第３の過程と、前記第３の過程において自動選択したデータに基づいた前記投票券の購入申込みを受付ける第４の過程と、抽せん結果に基づいて、前記第４の過程において購入申込みを受付けた前記投票券の中から当せん投票券を判別する第５の過程と、前記第５の過程において判別した当せん投票券を購入したユーザーに対して当せん金額振込みの電子決済処理を行う第６の過程とを有することを特徴とする投票券販売方法である。
【０００７】
また、請求項３に記載の発明は、ユーザー端末とネットワークを介して接続された投票券販売装置のコンピュータにおいて実行されるプログラムであって、前記コンピュータに、ユーザーからのアクセスを受付ける第１の処理と、前記ユーザーより投票券の種類とその購入方法を受付ける第２の処理と、前記ユーザーが指定した投票券の種類と購入方法に基づいて、オッズ情報データベースや過去の出目情報データベースに記憶するデータを自動選択する第３の処理と、前記第３の処理において自動選択したデータに基づいた前記投票券の購入申込みを受付ける第４の処理と、抽せん結果に基づいて、前記第４の処理において購入申込みを受付けた前記投票券の中から当せん投票券を判別する第５の処理と、前記第５の処理において判別した当せん投票券を購入したユーザーに対して当せん金額振込みの電子決済処理を行う第６の処理とを実行させるためのプログラムである。
【０００８】
【発明の実施の形態】
以下、本発明の一実施形態による投票券販売装置を用いた投票券販売システムを図面を参照して説明する。
図１は、この発明の一実施形態による投票券販売システムの構成を示す概略ブロック図である。この図において、符号１は宝くじモール・サイト（投票券販売装置）、２は中継センター、３はインターネット、４はユーザー端末、５は宝くじサービス・ホスト・システムであり、以下ＪＬＳホスト・システムと呼ぶ。６は宝くじモール・サイト１に接続されたインターネット・バンキング・システム等からなる電子決済サーバである。電子決済サーバ６は図１に示すように専用回線で宝くじモール・サイト１に接続する代わりに、インターネット３を介して宝くじモール・サイト１に接続されても良い。また、ユーザー端末４は実際には複数存在しているが、図１においては代表的に一つのみ示している。
【０００９】
宝くじモール・サイト１は、宝くじの当せん情報等を管理しているＪＬＳホスト・システムとユーザー端末４との間に存在するインターネット上の独立した機能単位であり、ユーザー端末４からのアクセスを受付ける受付管理部１１、当せん宝くじに関するデータを管理する当せん管理部１２、ユーザー宛て文書の作成及び送付を行う文書作成／送付部１３、ユーザーの指示に従って購入宝くじの情報を記録し、文書作成／送付部１３にユーザー宛て文書の作成依頼を行う購入管理部１４、ユーザーの情報（氏名、年齢、会員番号、パスワード、メールアドレス等）を記憶する会員ＤＢ（データベース）１５、宝くじ購入申込みデータ及び当せん結果データを記憶する宝くじＤＢ１６、宝くじ購入申込みに伴う決済及び宝くじ当せんに伴う決済を電子決済サーバ６に指示する決済管理部１７を備えている。
【００１０】
また、オッズ情報（オッズ、人気番号、不人気番号、申込み口数、見込み当せん金額、今回繰越金額等）を記憶するオッズ情報ＤＢ１８、過去の出目情報（過去当せん番号、番号ごとの過去出現回数等）を記憶する過去の出目情報ＤＢ１９を備えている。オッズ情報ＤＢ１８に記憶するオッズ情報は、中継センター２の発券情報記憶部２１に記憶する発券データに基づいて作成され、過去の出目情報ＤＢ１９に記憶する過去の出目情報は宝くじモール・サイト１の宝くじＤＢ１６に記憶する情報や、中継センター２の抽せん結果記憶部２２に記憶する抽せん結果データに基づいて作成される。この宝くじモール・サイト１は、ネットワーク上に１つもしくは複数存在し、１つの場合にはこの宝くじモール・サイト１に中継センター２が組み込まれる場合もある。
【００１１】
中継センター２は宝くじモール・サイト１とＪＬＳホスト・システム５との間の中継を行う為のものであり、数字選択式宝くじの発券申込みデータ及びその発券結果データを記憶する抽せん結果記憶部２２、ＪＬＳホスト・システム５が稼動しているか否かをを判定するホスト稼動判定機能を備えたデータ転送管理部２３を備えている。また、ＪＬＳホスト・システム５は、宝くじの発券申込みに応じて数字選択式宝くじを電子データとして発券する発券管理部５１、及び宝くじの抽せん結果を格納するデータベースを有する抽せん結果管理部５２を備えている。
【００１２】
次に上述した投票券販売システムの動作を図１、図２を参照しながら詳細に説明する。図２は本実施形態における数字選択式宝くじの購入処理を示すフローチャートである。
図２においてまず、ユーザーがユーザー端末４から宝くじモール・サイト１へアクセスする（ステップＳ１）。宝くじモール・サイト１はユーザーからのアクセスを受付管理部１１で受付けるが、この時、ユーザー端末の画面上から会員番号及びパスワードの入力を求める。そして、ユーザー端末からの会員番号及びパスワードの入力を受けた受付管理部１１は会員ＤＢ１５を検索し、宝くじモール・サイト１へのアクセスを試みるユーザーが会員であることを確認すると、ユーザー端末４に「数字選択式宝くじ」の購入申込み画面を呈示する（ステップＳ２）。
【００１３】
ステップＳ２でユーザー端末４に呈示した「数字選択式宝くじ」の購入申込み画面では、ナンバーズ３、ナンバーズ４、ミニロト、ロト６等の数字選択式宝くじの種類を選択することが可能となっている。また、申込み数字の選択方法や、申込み口数、反復購入回数等の申込み条件を指定することが可能となっている。ここでユーザーが、例えば、数字選択式宝くじの種類をロト６と指定し、また、申込み数字の選択方法を「過去に多く出現している数字」という数字の選択方法で指定し、申し込み口数を１、反復購入回数を１として指定して、各購入申し込み条件を購入申込み画面から入力したとする（ステップＳ３）。
【００１４】
ステップＳ３において購入申込み条件の指定を受けると受付管理部１１は、ロト６における「過去に多く出現している数字」を検索するよう購入管理部１４に指示する。これを受けて購入管理部１４は、ロト６において「過去に多く出現している数字」６個を、過去の出目情報ＤＢ１９を検索して抽出する。そして受付管理部１１は、購入管理部１４が抽出した６個の数字を、ユーザー端末に呈示し、ユーザーから確認を受けると、この６個の数字で購入申込みの数字を決定する（ステップＳ４）。
【００１５】
ステップＳ４においてロト６購入申込みの６個の数字が決定すると、購入管理部１４は中継センター２に対して、ユーザーの購入申込み条件でのロト６発券要求データを送信する（ステップＳ５）。ロト６発券要求データは中継センター２のデータ転送管理部２３を介して発券情報記憶部２１に格納される。ステップＳ５においてロト６発券要求データが中継センター２に送信されると、中継センター２のデータ転送管理部２３はＪＬＳホスト・システム５が稼動しているか否かを判定する（ステップＳ６）。ここで、ＪＬＳホスト・システムが稼動していない場合には、データ転送管理部２３は稼動していないことを宝くじモール・サイト１に通知し、そして、宝くじモール・サイト１の購入管理部１４は、文書作成／送信部１３に対してロト６の購入申込みの予約受付けが完了した旨をユーザー端末４に通知するよう指示し、購入申込みの予約受付け完了がユーザー端末４に通知される（ステップＳ７）。そして、中継センター２のデータ転送管理部２３は、ＪＬＳホスト・システム５が稼動するまで待機する。
【００１６】
ステップＳ６においてＪＬＳホスト・システム５が稼動している場合には、データ転送管理部２３は、ＪＬＳホスト・システム５の発券管理部５１にアクセスし、発券情報管理部２１に記憶されているロト６発券要求データを転送する（ステップＳ８）。ここで、データ転送管理部２３は、ＪＬＳホスト・システム５が稼動中であっても、バッチ転送処理を用いて所定時間ごとにロト６発券要求データを転送しても良い。ステップＳ８においてロト６発券要求データの転送を受けたＪＬＳホスト・システムの発券管理部５１は次に、送られてきたロト６発券要求データに基づいてロト６を電子データとして発券し中継センター２に返送する（ステップＳ９）。返送されたロト６の電子データはデータ転送管理部２３を介して発券情報記憶部２１に記憶される。そしてロト６の電子データは、発券情報記憶部２１に記憶された状態で、保護預りとして保管／管理される。この時、ユーザーの要求に応じて、実際のロト６の投票券を印刷し、ユーザーに届けるようにしても良い。
【００１７】
次に、中継センター２は、宝くじモール・サイト１に対して、ロト６の発券が完了したことを通知する（ステップＳ１０）。ステップＳ１０における発券完了の通知を受けて宝くじモール・サイト１の決済管理部１７は電子決済サーバ６に決済を行うよう指示する（ステップＳ１１）。その後、購入管理部１４は、文書作成／送付部１３に対して、ロト６の宝くじ購入明細書を作成し、ユーザー端末４に送付するよう指示し、文書作成／送付部１３がこれを送付する（ステップＳ１２）。このロト６の宝くじ購入明細書の内容は宝くじＤＢ１６に格納される。ステップＳ１２の終了により、ユーザーのロト６の購入申込みが完了したこととなる。
【００１８】
ロト６は毎週木曜日に抽せんが行われるが、この抽せん結果はＪＬＳ・ホスト・システム５の抽せん結果管理部５２で記憶している。ここで毎週木曜日の抽せんが終了すると、宝くじモール・サイト１は、中継センター２を介してＪＬＳホスト・システムの抽せん結果管理部５２にアクセスし、当せん番号を入手する。そして、入手した当せん番号を宝くじＤＢ１６へ格納する。次に、宝くじモール・サイト１の当せん管理部１２は、宝くじＤＢ１６の各ユーザーのロト６購入申込みを参照して、当せん番号に合致するロト６を購入したユーザーを抽出することにより、当せん者を判定し、かつ、当せん金振込みデータを作成する。
【００１９】
当せん者が存在した場合には、当せん管理部１２は決済管理部１７を介して電子決済サーバ６に当せん金振り込みデータに基づいて決済を行うよう指示し、当せん金の電子決済が実行される。そして、当せん管理部１２は決済完了が通知された後に、文書作成／送付部１３に対して、当せん通知明細書または落せん通知明細書を作成して、ユーザー端末４にメール送信するよう指示する。当せん通知明細書には、当せん金の振込みが既に行われた旨の情報も組み入れられる。
【００２０】
上述の実施形態においては、ロト６の購入申込みの際に、申込み数字の選択方法を「過去に多く出現している数字」という数字の選択方法で指定したが、「当せん金が多くなるように」という数字の選択方法を指定することもできる。これは、上述のステップＳ３において、ユーザーが数字選択式宝くじの種類をロト６と指定し、「当せん金が多くなるように」という数字の選択方法の指定をして、ロト６の購入申込みを行う方法である。この購入申込み方法においては、購入管理部１４が、オッズ情報ＤＢ１８を参照して、当せん金が高くなるような６個の数字を自動抽出し、ユーザーからの確認が取れた場合は、この６個の数字でのロト６の購入申込みを受付ける。
【００２１】
また、ロト６の購入における他の購入申込み数字の選択方法として、ユーザーが３個の数字を指定し、残りの３個の数字のみをオッズ情報ＤＢ１８に記憶するオッズ情報から、「当せん金が多くなるように」３個の数字を自動抽出する方法や、上述の実施例のように、過去の出目情報ＤＢ１９に記憶する過去の出目情報から、「過去に出現回数が多い数字」や「過去に出現回数が少ない数字」で残りの３個の数字を自動抽出させるという方法も存在する。
【００２２】
また、ロト６だけでなく、ナンバーズ３やナンバーズ４等の数字選択式宝くじにおいても、「過去に出現回数が多い数字」や「過去に出現回数が少ない数字」という数字の選択方法等、過去の出目情報ＤＢ１９に記憶する過去の出目情報に基づいた数字の自動選択を行うことが可能な方法や、「当せん金が多くなるように」という数字の選択方法等、オッズ情報ＤＢ１８に記憶するオッズ情報に基づいた数字の自動選択を行うことが可能な方法も存在する。
【００２３】
【発明の効果】
以上説明したように、この発明によれば、投票券販売装置にオッズ情報ＤＢと過去の出目情報ＤＢを備え、購入管理部による投票券の番号の自動選択機能を備えたので、ユーザー自身が数字を選択しなくても、ある一定の購入方法を指定することにより、その購入方法に基づいた数字の自動選択ができる機能を提供することが可能となる。
【図面の簡単な説明】
【図１】この発明の一実施形態による投票券販売システムの構成を示す概略ブロック図である。
【図２】本実施形態における数字選択式宝くじの購入処理を示すフローチャートである。
【符号の説明】
１　宝くじモール・サイト
２　中継センター
３　インターネット
４　ユーザー端末
５　ＪＬＳホスト・システム
６　電子決済サーバ
１８　オッズ情報ＤＢ
１９　過去の出目情報ＤＢ
【図１】
2004118527.tif 000003
【図２】
2004118527.tif 000004